(57)【要約】【課題】ユーザーの利便性を向上させると共に、セキュリティを向上させた表示装置、および表示システムを提供する。【解決手段】表示装置は、所有者の情報を表示する第１表示画面２２と、所有者の情報以外の情報を表示する第２表示画面２３とを表示可能な表示部１１を備える。表示装置は、位置情報取得部５１と、エリア判断部５２と、表示制御部５３とを備える。位置情報取得部５１は、表示装置の位置を示す位置情報を所定のタイミングで取得する。エリア判断部５２は、位置情報取得部５１により取得された位置情報に基づいて、表示装置が所定のエリア２０内にあるかを判断する。表示制御部５３は、エリア判断部５２により、表示装置が所定のエリア２０内にあると判断されれば第１表示画面２２を表示部１１に表示し、表示装置が所定のエリア２０外にあると判断されれば第２表示画面２３を表示部１１に表示するように制御する。【選択図】図３
2018097078.tif 000002
【特許請求の範囲】
【請求項１】
所有者の情報を表示する第１表示画面と、前記所有者の情報以外の情報を表示する第２表示画面とを表示可能な表示部を備える表示装置であって、
前記表示装置の位置を示す位置情報を所定のタイミングで取得する位置情報取得部と、
前記位置情報取得部により取得された前記位置情報に基づいて、前記表示装置が所定のエリア内にあるかを判断するエリア判断部と、
前記エリア判断部により、前記表示装置が所定のエリア内にあると判断されれば第１表示画面を表示部に表示し、前記表示装置が所定のエリア外にあると判断されれば第２表示画面を表示部に表示するように制御する表示制御部とを備える表示装置。
【請求項２】
所定のエリアの位置を示す位置情報が予め記憶されたＩＤカード記憶部をさらに備え、
前記エリア判断部は、前記表示装置の位置を示す位置情報と、前記ＩＤカード記憶部に記憶された所定のエリアの位置を示す位置情報とが一致するかを判断する、請求項１に記載の表示装置。
【請求項３】
前記エリア判断部は、前記表示装置の位置情報に基づいて、前記表示装置が所定の箇所からどの程度離れているかを計測して、前記表示装置が所定のエリア内にあるかを判断する、請求項１に記載の表示装置。
【請求項４】
前記第２表示画面は、前記表示装置の届出先の情報を表示する画面を含む、請求項１に記載の表示装置。
【請求項５】
ＧＰＳ（Ｇｌｏｂａｌ  Ｐｏｓｉｔｉｏｎｉｎｇ  Ｓｙｓｔｅｍ）データを受信するＧＰＳ受信部を更に備え、
前記位置情報取得部は、前記ＧＰＳ受信部により受信されたＧＰＳデータによって前記表示装置の位置を示す位置情報を取得する、請求項１〜請求項４のいずれか１項に記載の表示装置。
【請求項６】
所有者の情報を表示する第１表示画面と、前記所有者の情報以外の情報を表示する第２表示画面とを表示可能な表示部を備える表示装置と、前記表示装置と無線通信可能な情報処理装置とを備える表示システムであって、
前記表示装置は、
前記表示装置の位置を示す位置情報を所定のタイミングで取得する位置情報取得部を備え、
前記表示装置および前記情報処理装置のうちの少なくともいずれか一方は、
前記位置情報取得部により取得された位置情報に基づいて、前記表示装置が所定のエリア内にあるかを判断するエリア判断部と、
前記エリア判断部により、前記表示装置が所定のエリア内にあると判断されれば第１表示画面を表示部に表示し、前記表示装置が所定のエリア外にあると判断されれば第２表示画面を表示部に表示するように制御する表示制御部とを備える、表示システム。
【請求項７】
前記表示装置および前記情報処理装置のうちの少なくともいずれか一方は、所定のエリアの位置を示す位置情報が予め記憶されたサーバー記憶部またはＩＤカード記憶部をさらに備え、
前記エリア判断部は、前記表示装置の位置を示す位置情報と、サーバー記憶部またはＩＤカード記憶部に記憶された所定のエリアの位置を示す位置情報とが一致するかを判断する、請求項６に記載の表示システム。
【請求項８】
前記エリア判断部は、前記表示装置の前記位置情報に基づいて、前記表示装置が所定の箇所からどの程度離れているかを計測して、前記表示装置が所定のエリア内にあるかを判断する、請求項６に記載の表示システム。
【請求項９】
前記エリア判断部は、前記表示装置と前記情報処理装置とがどの程度離れているかを計測して、前記表示装置が所定のエリア内にあるかを判断する、請求項６に記載の表示システム。
【請求項１０】
前記第２表示画面は、前記表示装置の届出先の情報を表示する画面を含む、請求項６に記載の表示システム。
【請求項１１】
前記表示装置は、ＧＰＳデータを受信するＧＰＳ受信部を更に備え、
前記位置情報取得部は、前記ＧＰＳ受信部により受信されたＧＰＳデータによって前記表示装置の位置を示す位置情報を取得する、請求項６〜請求項１０のいずれか１項に記載の表示システム。
【発明の詳細な説明】
【技術分野】
【０００１】
この発明は、表示装置、および表示システムに関するものである。
【背景技術】
【０００２】
社員証などのＩＤＥＮＴＩＦＩＣＡＴＩＯＮ（以下、ＩＤという）カードには、会社名および所属名の他、個人の名前および顔写真などの個人情報が表示される場合がある。また、このようなＩＤカードは、会社や会社内の部屋への入退室の際に電子キーとして利用されるものもある。
【０００３】
ここで、携帯端末にロック機能を設定し、特定の条件下でロック状態を解除する技術が、国際公開第２０１６／０６８２５２号（特許文献１）に開示されている。
【０００４】
特許文献１に開示の携帯端末では、プロセッサは、ロックが設定されている場合において、近距離通信モジュールがウェアラブル端末の加速度センサから出力された加速度データを受信した場合に、受信した加速度データと、タッチパネル上の物体の近接または接触が検出された位置を表すデータに基づいて、ロックの解除を制御することを特徴としている。
【先行技術文献】
【特許文献】
【０００５】
【特許文献１】国際公開第２０１６／０６８２５２号
【発明の概要】
【発明が解決しようとする課題】
【０００６】
上記のＩＤカードを会社外で紛失してしまった場合には、ＩＤカードに個人情報が表示されているために上記の個人情報が会社外の人間に漏れてしまうリスクがある。また、ＩＤカードに会社名および所属名が表示されているため、悪意の第三者が拾得し、ＩＤカードを利用して会社内へ入ることもできてしまう。このような状況は、セキュリティの観点からも好ましくない。
【０００７】
セキュリティを向上させるために、特許文献１に開示のロック機能をＩＤカードに設定することが考えられる。しかしながら、ロック機能を解除するには、ユーザーの指示を要する。このため、ユーザーの操作が煩雑になってしまう。
【０００８】
この発明の目的は、ユーザーの利便性を向上させると共に、セキュリティを向上させた表示装置、および表示システムを提供することである。
【課題を解決するための手段】
【０００９】
この発明の一の局面において表示装置は、所有者の情報を表示する第１表示画面と、所有者の情報以外の情報を表示する第２表示画面とを表示可能な表示部を備える。表示装置は、位置情報取得部と、エリア判断部と、表示制御部とを備える。位置情報取得部は、表示装置の位置を示す位置情報を所定のタイミングで取得する。エリア判断部は、位置情報取得部により取得された位置情報に基づいて、表示装置が所定のエリア内にあるかを判断する。表示制御部は、エリア判断部により、表示装置が所定のエリア内にあると判断されれば第１表示画面を表示部に表示し、表示装置が所定のエリア外にあると判断されれば第２表示画面を表示部に表示するように制御する。
【００１０】
この発明の他の局面において表示システムは、表示装置と、情報処理装置とを備える。表示装置は、所有者の情報を表示する第１表示画面と、所有者の情報以外の情報を表示する第２表示画面とを表示可能な表示部を備える。情報処理装置は、表示装置と無線通信可能である。表示装置は、位置情報取得部を備える。位置情報取得部は、表示装置の位置を示す位置情報を所定のタイミングで取得する。表示装置および情報処理装置のうちの少なくともいずれか一方は、エリア判断部と、表示制御部とを備える。エリア判断部は、位置情報取得部により取得された位置情報に基づいて、表示装置が所定のエリア内にあるかを判断する。表示制御部は、エリア判断部により、表示装置が所定のエリア内にあると判断されれば第１表示画面を表示部に表示し、表示装置が所定のエリア外にあると判断されれば第２表示画面を表示部に表示するように制御する。
【発明の効果】
【００１１】
このような表示装置によれば、取得された位置情報に基づいて、表示装置が所定のエリア内にあるかを判断する。そして、表示装置が所定のエリア内にある場合には、表示装置の所有者の情報を表示し、ユーザーの認証等に利用することができる。また、表示装置が所定のエリア外にある場合には、表示装置の所有者の情報以外の情報を表示し、所有者の情報を表示しないようにすることができる。このようにすることで、悪意の第三者が所定のエリア外で拾得したとしても所有者の情報が漏洩することはない。この場合、ユーザーが表示を切り替えるように指示をする必要はない。従って、ユーザーの利便性を向上させると共に、セキュリティを向上させることができる。
【００１２】
また、このような表示システムによれば、ユーザーの利便性を向上させると共に、セキュリティを向上させることができる。
【図面の簡単な説明】
【００１３】
【図１】この発明の一実施形態に係る表示システムを示す概略図である。
【図２】表示システムの構成を示すブロック図である。
【図３】表示装置が所定のエリア内にある時に表示部に所定の画面を表示させる場合の処理の流れを示すフローチャートである。
【図４】第１表示画面の一例を示す図である。
【図５】第２表示画面の一例を示す図である。
【図６】第３表示画面の一例を示す図である。
【図７】表示装置の構成を示すブロック図である。
【発明を実施するための形態】
【００１４】
（実施の形態１）
以下、この発明の実施の形態１を説明する。図１は、この発明の一実施形態に係る表示システム１を示す概略図である。図２は、図１に示す表示システム１の構成を示すブロック図である。なお、図１において、所定のエリア２０を一点鎖線で示している。
【００１５】
図１および図２を参照して、表示システム１は、表示装置としてのＩＤカード１０と、情報処理装置としてのサーバー３０とを備える。サーバー３０は、ＩＤカード１０と無線通信可能である。なお、図１において、所定のエリア２０外にあるＩＤカード１０を破線で示している。
【００１６】
ＩＤカード１０は、表示部１１と、ＩＤカード制御部１２と、ＩＤカード記憶部１３と、ＧＰＳ受信部１４、ＩＤカード通信部１５とを備える。表示部１１は、表示画面２１を含む。表示部１１は、所有者の情報を表示する第１表示画面２２と、所有者の情報以外の情報を表示する第２表示画面２３とを表示可能である。ＩＤカード制御部１２は、ＩＤカード１０全体の制御を行う。ＩＤカード制御部１２は、ＣＰＵ等から構成されており、不揮発性のメモリを含むＩＤカード記憶部１３に記憶された制御プログラムを実行することによりＩＤカード１０全体の制御を行う。また、ＩＤカード制御部１２は、一時的にデータを記憶する主記憶メモリ（図示せず）を含む。ＩＤカード記憶部１３は、位置情報またはＩＤカード１０の所有者の情報を記憶する。ＧＰＳ受信部１４は、グローバルポジショニングシステム（Ｇｌｏｂａｌ  Ｐｏｓｉｔｉｏｎｉｎｇ  Ｓｙｓｔｅｍ）（以下、ＧＰＳという）データを受信する。ＩＤカード通信部１５は、サーバー３０との無線通信を確立させて、データの送受信を行うことができる。ＩＤカード通信部１５により、ＩＤカード１０は、サーバー３０側へデータを送信することができる。なお、ＩＤカード通信部１５は、後述する位置情報取得部５１により取得された位置情報をサーバー３０へ送信する送信部として作動する。
【００１７】
サーバー３０は、サーバー通信部３１と、サーバー制御部３２と、サーバー記憶部３３とを備える。サーバー３０は、データセンターに載置されるＰＣサーバー等から構成される。サーバー３０は、所定のエリア２０内に設置されるようにしてもよいし、所定のエリア２０外に設置されるようにしてもよい。なお、所定のエリア２０とは、ユーザーが予め定めた領域をいう。所定のエリア２０は、例えば会社の敷地内に相当するエリアである。サーバー通信部３１は、ＩＤカード１０との無線通信を確立させて、データの送受信を行うことができる。サーバー通信部３１により、サーバー３０は、ＩＤカード１０から送信されるデータを受信することができる。なお、サーバー通信部３１は、後述する位置情報取得部５１により取得された位置情報を受信する受信部として作動する。サーバー制御部３２は、サーバー３０全体の制御を行う。サーバー制御部３２は、ＣＰＵ等から構成されており、不揮発性のメモリを含むサーバー記憶部３３に記憶された制御プログラムを実行することによりサーバー３０全体の制御を行う。また、サーバー制御部３２は、一時的にデータを記憶する主記憶メモリ（図示せず）を含む。サーバー記憶部３３は、例えばハードディスクであってもよい。サーバー記憶部３３は、位置情報を記憶する。
【００１８】
次に、ＩＤカード１０に備えられるＩＤカード制御部１２と、サーバー３０に備えられるサーバー制御部３２の構成について説明する。図２を参照して、ＩＤカード制御部１２は、位置情報取得部５１と、カード認証部５４とを備える。また、サーバー制御部３２は、エリア判断部５２と、表示制御部５３とを備える。
【００１９】
位置情報取得部５１は、ＩＤカード１０の位置を示す位置情報を所定のタイミングで取得する。カード認証部５４は、ＩＤカード記憶部１３に記憶されたＩＤカード１０の所有者の情報をＩＤカード通信部１５によってＩＤカードリーダー等に送信するように制御する。カード認証部５４により、例えばＩＤカード１０は会社の敷地内に入る際の電子キーとして機能する。エリア判断部５２は、位置情報取得部５１により取得された位置情報に基づいて、ＩＤカード１０が所定のエリア２０内にあるかを判断する。表示制御部５３は、エリア判断部５２により、ＩＤカード１０が所定のエリア２０内にあると判断されれば、第１表示画面２２を表示部１１に表示し、またはＩＤカード１０が所定のエリア２０外にあると判断されれば第２表示画面２３を表示部１１に表示するように制御する。
【００２０】
次に、表示システム１により、ＩＤカード１０が所定のエリア２０内にある時に表示部１１に所定の画面を表示させる場合について説明する。図３は、ＩＤカード１０が所定のエリア２０内にある時に表示部１１に所定の画面を表示させる場合の処理の流れを示すフローチャートである。
【００２１】
図３を参照して、まず、ＩＤカード１０が所定のタイミングでＩＤカード１０の位置を示す位置情報を取得する（図３において、ステップＳ１１、以下、「ステップ」を省略する）。ここで、所定のタイミングとは、例えば時間を設定して実行されるようにしてもよいし、常に繰り返し実行されるようにしてもよい。ＧＰＳ受信部１４により受信されたＧＰＳデータによって位置情報は取得される。ここでは、まずＩＤカード１０が図１において一点鎖線で示された所定のエリア２０内に位置するものとする。
【００２２】
そして、ＩＤカード１０の位置を示す位置情報が取得されると、サーバー３０にＩＤカード１０の位置を示す位置情報が送信される。サーバー３０は、送信されたＩＤカード１０の位置を示す位置情報を受信すると、ＩＤカード１０が所定のエリア２０内にあるかを判断する（Ｓ１２）。この場合、ＩＤカード１０が所定のエリア２０内にあると判断されるため（Ｓ１２においてＹＥＳ）、表示部１１に表示される画面として所有者の情報を表示する第１表示画面２２が選択される（Ｓ１３）。サーバー３０は、選択された第１表示画面２２のデータをＩＤカード１０に送信する。ＩＤカード１０は、第１表示画面２２のデータを受信すると、表示部１１の表示画面２１に第１表示画面２２を表示する（Ｓ１４）。
【００２３】
図４は、第１表示画面２２の一例を示す図である。図４を参照して、第１表示画面２２は、会社名２２ａと、所有者の顔写真２２ｂと、所有者の所属部署名２２ｃと、所有者の名前２２ｄとを含む。図１を参照して、ＩＤカード１０が所定のエリア２０内にある場合には、ＩＤカード１０の表示部１１の表示画面２１に第１表示画面２２を表示する。
【００２４】
次に、図１においてＩＤカード１０が破線で示される所定のエリア２０外に位置する場合について説明する。この場合、Ｓ１２において、ＩＤカード１０が所定のエリア２０外にあると判断されるため（Ｓ１２においてＮＯ）、表示部１１に表示される画面として所有者の情報以外の情報を表示する第２表示画面２３が選択される（Ｓ１５）。サーバー３０は、選択された第２表示画面２３のデータをＩＤカード１０に送信する。ＩＤカード１０は、第２表示画面２３のデータを受信すると、表示部１１の表示画面２１に第２表示画面２３を表示する（Ｓ１６）。
【００２５】
図５は、第２表示画面２３の一例を示す図である。図５を参照して、第２表示画面２３には、ＩＤカード１０を紛失した場合の届出先を表示する画面を含む。届出先としては、例えば、会社名２３ａ、電話番号２３ｂ等が表示されるようにしてもよい。
【００２６】
このような表示システム１によれば、取得された位置情報に基づいて、ＩＤカード１０が所定のエリア２０内にあるかを判断する。そして、ＩＤカード１０が所定のエリア２０内にある場合には、ＩＤカード１０の所有者の情報を表示し、ユーザーの認証等に利用することができる。また、ＩＤカード１０が所定のエリア２０外にある場合には、ＩＤカード１０の所有者の情報以外の情報を表示し、所有者の情報を表示しないようにすることができる。このようにすることで、悪意の第三者が拾得したとしても所有者の情報が漏洩することはない。この場合、ユーザーが表示を切り替えるように指示をする必要はない。従って、ユーザーの利便性を向上させると共に、セキュリティを向上させることができる。
【００２７】
なお、Ｓ１２において、ＩＤカード１０が所定のエリア２０内にあるか否かの判断は、以下のようにしてもよい。サーバー３０のサーバー記憶部３３に所定のエリア２０の位置を示す位置情報が予め記憶されており、ＩＤカード１０の位置を示す位置情報と所定のエリア２０の位置を示す位置情報が一致するかにより判断してもよい。ＩＤカード１０のＩＤカード記憶部１３に所定のエリア２０の位置を示す位置情報が予め記憶されるようにしてもよい。また、ユーザーが予め定めた箇所からＩＤカード１０がどの程度離れているかを計測して判断してもよい。例えば、ＩＤカード１０と所定の箇所との距離が２００ｍ以内の場合には、ＩＤカード１０が所定のエリア２０内にあると判断するようにしてもよい。また、サーバーが所定のエリア２０内に設置される場合には、ＩＤカード１０とサーバー３０とがどの程度離れているかを計測して判断してもよい。例えば、ＩＤカード１０とサーバー３０との距離が５０ｍ以内の場合には、ＩＤカード１０が所定のエリア２０内にあると判断するようにしてもよい。
【００２８】
なお、Ｓ１１において、ＩＤカード１０がＩＤカード１０の位置を示す位置情報を取得できない場合には、ＩＤカード１０の表示部１１の表示画面２１に第２表示画面２３を表示するようにしてもよい。また、Ｓ１２において、ＩＤカード１０とサーバー３０とがデータの送受信を行うことが出来ない場合には、ＩＤカード１０の表示部１１の表示画面２１に第２表示画面２３を表示するようにしてもよい。
【００２９】
図６は、第３表示画面２４の一例を示す図である。ＩＤカード１０に内蔵されるバッテリ（図示せず）の寿命がないために、表示部１１の表示画面２１の内容が更新できない場合には、表示部１１の表示画面２１に第３表示画面２４を表示するようにしてもよい。第３表示画面２４は、ＩＤカード１０に内蔵されるバッテリの寿命がないことを警告する。
【００３０】
（実施の形態２）
次に、本発明の他の実施の形態である実施の形態２について説明する。ＩＤカード１０は、基本的には実施の形態１の場合と同様の構成を有する。しかし、ＩＤカード制御部１２の構成が、実施の形態１の場合と異なっている。以下、実施の形態１の場合とは異なる点について説明する。
【００３１】
図７は、ＩＤカード１０の構成を示すブロック図である。図７を参照して、ＩＤカード１０は、表示部１１と、ＩＤカード制御部１２と、ＩＤカード記憶部１３と、ＧＰＳ受信部１４と、ＩＤカード通信部１５とを備える。ＩＤカード通信部１５は、ネットワークインターフェース部（図示せず）を通じて、ネットワークに接続されるようにしてもよい。ＩＤカード制御部１２は、位置情報取得部５１と、エリア判断部５２と、表示制御部５３とを備える。
【００３２】
図３を参照して、まず、ＩＤカード１０が所定のタイミングでＩＤカード１０の位置を示す位置情報を取得する（Ｓ１１）。ここで、所定のタイミングとは、例えば１分毎のように時間を設定してもよいし、常に繰り返し実行されるようにしてもよい。ＧＰＳ受信部１４により受信されたＧＰＳデータによって、位置情報は取得される。
【００３３】
そして、ＩＤカード１０の位置を示す位置情報が取得されると、ＩＤカード１０が所定のエリア２０内にあるかを判断する（Ｓ１２）。ＩＤカード１０が所定のエリア２０内にあれば（Ｓ１２においてＹＥＳ）、表示部１１に表示される画面として所有者の情報を表示する第１表示画面２２が選択される（Ｓ１３）。ＩＤカード１０は、表示部１１の表示画面２１に第１表示画面２２を表示する（Ｓ１４）。
【００３４】
また、ＩＤカード１０が所定のエリア２０外と判断されれば（Ｓ１２においてＮＯ）、表示部１１に表示される画面として所有者の情報以外の情報を表示する第２表示画面２３が選択される（Ｓ１５）。ＩＤカード１０は、表示部１１の表示画面２１に第２表示画面２３を表示する（Ｓ１６）。
【００３５】
このようなＩＤカード１０によれば、取得された位置情報に基づいて、ＩＤカード１０が所定のエリア２０内にあるかを判断する。そして、ＩＤカード１０が所定のエリア２０内にある場合には、ＩＤカード１０の所有者の情報を表示し、ユーザーの認証等に利用することができる。また、ＩＤカード１０が所定のエリア２０外にある場合には、ＩＤカード１０の所有者の情報以外の情報を表示し、所有者の情報を表示しないようにすることができる。このようにすることで、悪意の第三者が拾得したとしても所有者の情報が漏洩することはない。この場合、ユーザーが表示を切り替えるように指示をする必要はない。従って、ユーザーの利便性を向上させると共に、セキュリティを向上させることができる。
【００３６】
なお、Ｓ１２において、ＩＤカード１０が所定のエリア２０内にあると判断するためには、以下のようにしてもよい。ＩＤカード１０のＩＤカード記憶部１３に所定のエリア２０の位置を示す位置情報が予め記憶されており、ＩＤカード１０の位置を示す位置情報と所定のエリア２０の位置を示す位置情報が一致するかにより判断してもよい。また、ユーザーが予め定めた箇所からＩＤカード１０がどの程度離れているかを計測して判断してもよい。例えば、ＩＤカード１０と所定の箇所との距離が２００ｍ以内の場合には、ＩＤカード１０が所定のエリア２０内にあると判断するようにしてもよい。
【００３７】
なお、Ｓ１１において、ＩＤカード１０がＩＤカード１０の位置を示す位置情報を取得できない場合には、ＩＤカード１０の表示部１１の表示画面２１に第２表示画面２３を表示するようにしてもよい。
【００３８】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３９】
この発明に係る表示システムおよび表示装置は、ユーザーの利便性を向上させると共に、セキュリティを向上させることが要求される場合に、特に有効に利用される。
【符号の説明】
【００４０】
１  表示システム、１０  ＩＤカード、１１  表示部、１２  ＩＤカード制御部、１３  ＩＤカード記憶部、１４  ＧＰＳ受信部、１５  ＩＤカード通信部、２０  所定のエリア、２１  表示画面、２２  第１表示画面、２２ａ  会社名、２２ｂ  顔写真、２２ｃ  所属部署名、２２ｄ  名前、２３  第２表示画面、２３ａ  会社名、２３ｂ  電話番号、２４  第３表示画面、３０  サーバー、３１  サーバー通信部、３２  サーバー制御部、３３  サーバー記憶部、５１  位置情報取得部、５２  エリア判断部、５３  表示制御部、５４  カード認証部。
【図１】
2018097078.tif 000003
【図２】
2018097078.tif 000004
【図３】
2018097078.tif 000005
【図４】
2018097078.tif 000006
【図５】
2018097078.tif 000007
【図６】
2018097078.tif 000008
【図７】
2018097078.tif 000009